(57)【特許請求の範囲】
【請求項１】
シャーシ等の取付け面に電子部品を押圧固定するための電子部品固定具と該電子部品固定具を前記取付け面に結合させる結合手段とによって複数の電子部品を前記取付け面に押圧固定するための電子部品固定構造であって、前記電子部品固定具は、前記取付け面に当接する基部と、該基部から前記取付け面に沿って延出し、電子部品を前記取付け面に向かって押圧固定するための少なくとも一つの剛性片と、前記基部から前記剛性片と略平行に延出し、電子部品を前記取付け面に向かって弾性的に押圧固定する少なくとも一つの弾性片と、を有しており、前記剛性片は、前記取付け面の水平方向及び垂直方向に剛性を有しており、前記弾性片は、前記取付け面に垂直な方向に弾性を有していることを特徴とする電子部品固定構造。
【請求項２】
前記剛性片は、その延出方向の両側に設けられた対向する一対の折り曲げ部を有しており、該一対の折り曲げ部により前記剛性片の剛性が付与されていることを特徴とする請求項１に記載の電子部品固定構造。
【請求項３】
前記電子部品固定具の前記基部及び前記剛性片を含む縦断面と、前記基部及び前記弾性片を含む縦断面とが、それぞれ略Ｌ字型になるように形成されているとともに、前記弾性片は、その先端が、前記剛性片の先端より前記取付け面側に位置するよう曲げ加工されていることを特徴とする請求項１または２に記載の電子部品固定構造。
【請求項４】
前記基部の前記取付け面側の端面には、前記基部を前記取付け面に係止するための係止部が設けられており、前記取付け面には、前記係止部と係合する被係止部が設けられていることを特徴とする請求項１ないし３のいずれかに記載の電子部品固定構造。
【請求項５】
前記弾性片は、前記剛性片の両側にそれぞれ一本ずつ設けられていることを特徴とする請求項１ないし４のいずれかに記載の電子部品固定構造。
【請求項６】
前記弾性片は、前記剛性片の両側にそれぞれ複数本ずつ設けられていることを特徴とする請求項５に記載の電子部品固定構造。
【請求項７】
前記剛性片は、複数の電子部品を固定可能であることを特徴とする請求項１ないし６のいずれかに記載の電子部品固定構造。
【請求項８】
前記結合手段は、前記電子部品固定具に設けられた孔部を通って前記取付け面に螺合するネジであることを特徴とする請求項１ないし７のいずれかに記載の電子部品固定構造。
【請求項９】
前記電子部品固定具は、バネ性を有する材料によって形成されていることを特徴とする請求項１ないし８のいずれかに記載の電子部品固定構造。
【請求項１０】
シャーシ等の取付け面に複数の電子部品を押圧固定するための電子部品固定具であって、シャーシ等の取付け面に当接する基部と、該基部から前記取付け面に沿って延出し、電子部品を押圧固定するための少なくとも一つの剛性片と、前記基部から前記剛性片と略平行に延出し、電子部品を前記取付け面に向かって弾性的に押圧固定する少なくとも一つの弾性片と、を有しており、前記剛性片は、前記取付け面の水平方向及び垂直方向に剛性を有しており、前記弾性片は、前記取付け面に垂直な方向に弾性を有していることを特徴とする電子部品固定金具。
【発明の詳細な説明】
【０００１】
【発明の属する技術分野】
本発明は、電子部品固定具を用いて電子部品をシャーシやヒートシンク等の取付け面に固定するための電子部品固定構造に関するものであり、特に、シャーシ等の取付け面に対して複数の電子部品を一つの電子部品固定具によって確実かつ容易に押圧固定し得る電子部品固定構造に関する。
【０００２】
【従来の技術】
サーミスタやトランジスタ等の電子部品は、自身の発熱による効率の低下や誤作動等を防止するため、多くの場合、基板の回路に電気的に接続される一方、ヒートシンクや、ヒートシンクの機能を有するシャーシなどと熱的に結合され、その放熱が図られる。
【０００３】
そして、これらの電子部品は、シャーシとの熱的な結合を強めることにより放熱の効率を高めるため、一般に、図１０に示すようなネジ止め式固定金具３７や、図１１に示すようなクリップ型固定金具４１によってシャーシ２７に押圧固定される。
【０００４】
前記ネジ止め式固定金具３７は、図１０に示すように、圧延鋼板等の鋼板を縦断面略Ｌ字状に折り曲げ、一方の面（シャーシと平行な面）の略中心部に、この固定金具をシャーシ２７に固定するための孔部を設け、その他方の面（シャーシに対して垂直な面）の端面に、シャーシ２７に設けられた凹部３１と係合し、ネジ止め式固定金具３７とシャーシ２７との位置ズレを防止するための凸部２５を設けたものである。
【０００５】
このネジ止め式固定金具３７を用いて基板３５にピン５を介して搭載された電子部品３をシャーシ２７に対して押圧固定する際、電子部品３は、図１０（ｃ）に示すように、シャーシ２７とネジ止め式固定金具３７とによって挟持され、ネジ３３の締め付け力によってシャーシ２７に押圧固定される。
【０００６】
前記クリップ型固定金具４１は、図１１に示すように、バネ用ステンレス鋼等の鋼板を略コの字型に折り曲げたものである。
【０００７】
このクリップ式固定金具４１を使用して電子部品３を固定する際、電子部品３は、図１１（ｃ）に示すように、このクリップ式固定金具４１によってシャーシ２７とともに挟持され、クリップ式固定金具４１の弾性変形の復元力によってシャーシ２７に押圧固定される。
【０００８】
【発明が解決しようとする課題】
前記図１０に示されたネジ止め式固定金具３７は、電子部品３を固定する際にほとんど変形を生じないため、ネジを強く締め付けた場合に、電子部品３を損傷するおそれがあるうえ、３つ以上の電子部品を確実に固定することができない。また、このネジ止め式固定金具３７によって高低差のある２つの電子部品を固定する場合、２つの部品の固定密着力に大きな差が生じる場合がある。
【０００９】
一方、前記図１１に示されたクリップ型固定金具４１は、自身の弾性変形の復元力により電子部品３を押圧固定する構造であるため、前記ネジ止め式固定金具３７と異なり、クリップ式固定金具４１の復元力以上の力が電子部品３にかかることがない。
【００１０】
しかし、このクリップ型固定金具４１は、前述したように、電子部品３とシャーシ２７の両者を挟持する構造となっていることから、図１１（a）及び（ｃ）に示すように、シャーシ２７の端面より外側に金具の一部が露出するため、シャーシ２７の端面を平坦にすることができない。
【００１１】
また、このクリップ型固定金具４１を用いる場合には、シャーシ２７の端面から電子部品３の固定位置までの奥行きに限界があるため、電子部品３の固定位置に応じて、図１１（ａ）に示すような凹部３１を設け、クリップ型固定金具４１の位置の調節を行わなくてはならない。
【００１２】
また、このクリップ型固定金具４１は、固定金具１つにつき、１つの電子部品しか固定できない構造であるため、部品点数や部品コストの増加の原因になっている。
【００１３】
本発明は、上記問題点に鑑み、簡単な構造により複数の電子部品を効率的にシャーシに押圧固定することが可能な電子部品固定具を用いた電子部品固定構造を提供することを目的とする。
【００１４】
【課題を解決するための手段】
上記目的を達成するため、本発明の電子部品固定構造は、シャーシ等の取付け面に電子部品を押圧固定するための電子部品固定具と該電子部品固定具を前記取付け面に結合させる結合手段とによって複数の電子部品を前記取付け面に押圧固定するための電子部品固定構造であって、前記電子部品固定具は、前記取付け面に当接する基部と、該基部から前記取付け面に沿って延出し、電子部品を前記取付け面に向かって押圧固定するための少なくとも一つの剛性片と、前記基部から前記剛性片と略平行に延出し、電子部品を前記取付け面に向かって弾性的に押圧固定する少なくとも一つの弾性片と、を有しており、前記剛性片は、前記取付け面の水平方向及び垂直方向に剛性を有しており、前記弾性片は、前記取付け面に垂直な方向に弾性を有していることを特徴とする。
【００１５】
以上のような構成によれば、取付けが容易で、しかも複数の電子部品をそれぞれ適切な固定密着力にて確実にシャーシ等の取付け面に押圧固定し得る電子部品固定構造が実現する。
【００１６】
また、前記剛性片に、その延出方向の両側に設けられた対向する一対の折り曲げ部を形成し、その一対の折り曲げ部により前記剛性片の剛性が付与されるようにすることが可能である。
【００１７】
また、前記電子部品固定具の前記基部及び前記剛性片を含む縦断面と、前記基部及び前記弾性片を含む縦断面とが、それぞれ略Ｌ字型になるように形成されているとともに、前記弾性片をその先端が前記剛性片の先端より前記取付け面側に位置するように曲げ加工にすることにより、弾性片をより確実に電子部品に当接させることが可能となる。
【００１８】
また、前記基部の前記取付け面側の端面に、前記基部を前記取付け面に係止するための係止部を設け、前記取付け面に、前記係止部と係合する被係止部を設けることにより、取付け後の電子部品固定具の摺動を防止することが可能となる。
【００１９】
また、前記弾性片は、前記剛性片の両側にそれぞれ一本ずつ設けたり、それぞれ複数本ずつ設けることが可能である。
【００２０】
また、前記剛性片に複数の電子部品を固定させたり、前記結合手段を前記電子部品固定愚に設けられた孔部を通って前記取付け面に螺合するネジによって設けたり、前記電子部品固定具をバネ性を有する材料によって形成することも可能である。
【００２１】
本発明の他の目的、作用及び効果は、図面を参照して行う以下の実施形態から、より明らかとなるであろう。
【００２２】
【発明の実施の形態】
以下、本発明の電子部品固定構造を図面を参照して詳述する。
【００２３】
図１ないし図３は、本発明の電子部品固定構造の全体構造を示す正面図、背面図、側面図であり、図４ないし図６は、本発明の電子部品固定構造に使用されている電子部品固定具の正面図、背面図、側面図である。また、図７ないし図９は、本発明の電子部品固定構造の他の実施形態を示した図である。
【００２４】
図１ないし図３に示すように、本発明の電子部品固定構造１は、シャーシ１７の取付け面に、ＦＥＴ（電界効果型トランジスタ）等の電子部品３を電子部品固定具７によって押圧固定するための構造であり、電子部品３は、前記電子部品固定具７と、シャーシ２７との間に挟持されることにより、シャーシ２７に対して押圧固定されるようになっている。また、この構造において、電子部品３は、ピン５によって基板３５の回路に接続されている。
【００２５】
前記電子部品固定具７は、所定形状に打ち抜いたバネ用ステンレス鋼等の材料を折り曲げることにより形成されており、図４ないし図６に示すように、前記取付け面に当接する基部１９と、該基部１９から前記取付け面に沿って延出し、電子部品３をネジ３３の結合力によって前記取付け面に向かって押圧固定するための剛性片９と、前記基部１９から前記剛性片９に略平行に延出し、電子部品３を前記取付け面に向かって弾性的に押圧固定する２本の弾性片１５、１５とによって構成されている。そして、図６に示すように、前記基部１９及び前記剛性片９を含む縦断面と、前記基部１９及び前記弾性片１５を含む縦断面とが、略Ｌ字型になるように形成されている。また、この電子部品固定具７は、均一な肉厚のバネ用ステンレス鋼等の板材で形成されていることから、剛性片９は、延出方向の両側に設けられた一対の折り曲げ部１１、１１により前記取付け面に垂直な方向の剛性が付与されており、弾性片１５は、前記取付け面に向かって傾斜するよう基端部を曲げ加工することにより電子部品３に弾性的に当接するようになっている。
【００２６】
より詳しく説明すると、前記基部１９は、図３に示すように、シャーシ２７の取付け面に対し、略直角に設置される側面部２１と、前記側面部２１の上縁と略垂直かつ一体に設けられた上面部２３とから構成されている。
【００２７】
前記側面部２１のシャーシ２７側の端面には、凸部２５が設けられている。この凸部２５は、図２に示すように、シャーシ２７に形成された凹部３１と係合し、取付けの際の電子部品固定具７のシャーシ２７に対する位置ズレを防止するとともに、電子部品固定具７をシャーシ２７に取り付ける際に、電子部品固定具７がネジ３３を中心に回転することを防止する機能を有している。
【００２８】
前記剛性片９は、図４に示すように、前記基部１９の上面部２３の略中央部分に該上面部２３と一体に形成されている。この剛性片９の延出方向の左右両側には、図５に示すように曲げ加工された一対の折り曲げ部１１、１１が設けられており、これらの折り曲げ部１１、１１によって剛性片９のシャーシ２７の垂直方向の剛性が付与されるようになっている。また、この剛性片９は、その先端部分の下面が電子部品３に当接し、電子部品３をシャーシ２７に対して押圧固定するようになっている。
【００２９】
また、剛性片９の基端部側の略中央部には、図４に示すように、この電子部品固定具７をシャーシ２７に固定する際に、ネジ３３を挿通する孔部１３が設けられている。
【００３０】
前記一対の弾性片１５、１５は、図４に示すように、前記基部１９の両端に、剛性片９と所定の間隔で離間した位置に設けられており、前記剛性片９と同様に前記上面部２３と一体に形成されている。また、この弾性片１５は、その基端部が曲げ加工されているため、弾性片１５の先端が、前記剛性片９の先端よりシャーシ２７側に位置し、電子部品３に弾性片１５が確実に当接するようになっている。そして、弾性片１５は、この基端部の曲げ加工の角度を調節することにより、電子部品３の高さに適合させることや、弾性片１５の電子部品３に当接する際の圧力を調節することが可能となっている。
【００３１】
また、弾性片１５の先端部には、図３及び図６に示すように、下側（電子部品３側）に凸となる湾曲部１７が設けられており、この湾曲部１７の下面が電子部品３の上面に当接し、電子部品３をシャーシ２７に向かって押圧する構造となっている。
【００３２】
シャーシ２７は、好ましくは、鉄やアルミニウム等の高導熱性の材料で形成されており、その端面には、図１に示すように、前記基部１９に設けられた凸部２５と係合する凹部３１が設けられており、前記電子部品固定具の孔部１３に対向する位置には、前記ネジ３３と螺合するネジ穴（図示せず）が設けられている。なお、前記凸部２５と係合する凹部３１の形状は、本実施形態のような切り欠き形状に限らず、孔などであってもよい。また、本実施形態に限らず、電子部品固定金具７に凹部を設け、シャーシ２７に凸部を設けることにより、電子部品固定金具７とシャーシ２７とを係止させることも可能である。
【００３３】
以下、本発明の電子部品固定構造１を用いた電子部品３のシャーシ２７への固定方法について説明する。
【００３４】
まず、基板３５に実装された電子部品３をシャーシ２７の所定位置に載置する。
【００３５】
次に、シャーシ２７に載置された電子部品３の上に電子部品固定具７を載置する。その際、シャーシ２７の凹部３１と電子部品固定具７の凸部２５とを係合させることにより、シャーシ２７に対して電子部品固定具７を係止させる。
【００３６】
さらに、電子部品固定具７に設けられた孔部１３及びシャーシ２７に設けられたネジ穴にネジ３３を挿通し、電子部品固定具７とシャーシ２７とを締め付けることによって電子部品３をシャーシ２７に対して押圧固定する。
【００３７】
このように取り付けることによって、電子部品３は、図２に示すように、剛性片９、弾性片１５を介してネジ３３の締め付け力によりシャーシ２７に押圧固定され、シャーシ２７と電子部品３の接触面において電子部品３の放熱が行われるようになっている。なお、この取付けの際のネジ３３の締め付け力には、トルク規制を設けることが好ましく、そのようにすることで、ネジ３３の過度の締め付けによる電子部品３の破損を防止することが可能となる。また、シャーシ２７と電子部品３の間に放熱シート等を設けることにより、シャーシ２７と電子部品３との絶縁や、放熱性の向上を図ることが可能となる。
【００３８】
また、本実施形態では、電子部品固定具７に孔部１３を、シャーシ２７にはネジ穴を設け、ネジ３３によって電子部品固定具７を締め付けることにより電子部品固定具７を取り付けているが、本実施形態に限らず、シャーシ２７に孔部を、電子部品固定具にネジ穴を設け、シャーシ側からネジを差し込んで電子部品固定具をシャーシに固定することも可能である。
【００３９】
また、本実施形態は、剛性片９により１つの電子部品を固定する構造となっているが、本実施形態に限らず、剛性片９の左右の幅を大きくすることにより、図７に示すように、１つの剛性片９により複数の電子部品を押圧固定することが可能となる。そして、その場合には、剛性片９に設ける孔部の位置が、図８に示すように、２つの電子部品３の中間になるように設けることが可能である。
【００４０】
また、本実施形態において、弾性片１５は、剛性片９の左右に１本ずつ設けられているが、本実施例に限らず、図９に示すように、剛性片９の左右に複数本設けることも可能である。また、弾性片１５の曲げ角度を調節することにより、高さの異なる複数の電子部品のそれぞれを弾性片１５によって適切な固定密着力でシャーシ２７に押圧固定することが可能となる。
【００４１】
また、本実施形態の電子部品固定具７には、バネ用ステンレス鋼が使用されているが、電子部品固定具７の材料にバネ用ステンレス鋼以外の他の金属の鋼板や、樹脂等を使用することも可能であり、そのような構造を用いた場合にも、本発明と同一の利点を享受することが可能である。
【００４２】
また、本実施形態では、電子部品３は、シャーシ２７に取り付けられているが、本実施形態に限らず、ヒートシンクやケーシング等のシャーシ以外の部材に固定することも可能である。
【００４３】
最後に、本発明は、上述した実施形態に限定されるものではなく、特許請求の範囲に記載された範囲で種々の変更及び改良等が可能であることは言うまでもない。
【００４４】
【発明の効果】
以上述べたように、本発明によれば、電子部品のネジによる固定が可能な剛性片と、電子部品を弾性力によって押圧固定することが可能な弾性片とを併有する構造を用いるため、取付けが容易で、しかも複数の電子部品を適切な固定密着力にて確実に押圧固定することが可能な電子部品固定構造が実現する。
【図面の簡単な説明】
【図１】本発明の電子部品固定構造の全体構造を示す平面図である。
【図２】本発明の電子部品固定構造の全体構造を示す背面図である。
【図３】本発明の電子部品固定構造の全体構造を示す側面図である。
【図４】本発明の電子部品固定構造に使用されている電子部品固定具の平面図である。
【図５】本発明の電子部品固定構造に使用されている電子部品固定具の正面図である。
【図６】本発明の電子部品固定構造に使用されている電子部品固定具の側面図である。
【図７】本発明の電子部品固定構造の他の実施形態を示した図である。
【図８】本発明の電子部品固定構造の他の実施形態を示した図である。
【図９】本発明の電子部品固定構造の他の実施形態を示した図である。
【図１０】図１０（a）ないし（c）は、従来のネジ止め式固定金具を用いた電子部品固定構造の平面図、背面図、側面図である。
【図１１】図１１（a）ないし（c）は、従来のクリップ型固定金具を用いた電子部品固定構造の平面図、背面図、側面図である。
【符号の説明】
１    電子部品固定構造
３    電子部品
５    端子
７    電子部品固定具
９    剛性片
１１  折り曲げ部
１３  孔部
１５  弾性片
１７  湾曲部
１９  基部
２１  側面部
２３  上面部
２５  凸部
２７  シャーシ
３１  凹部
３２  ネジ穴
３３  ネジ
３５  基板
３７  ネジ止め式固定金具
４１  クリップ型固定具
【図１】
0004293705.tif 000002
【図２】
0004293705.tif 000003
【図３】
0004293705.tif 000004
【図４】
0004293705.tif 000005
【図５】
0004293705.tif 000006
【図６】
0004293705.tif 000007
【図７】
0004293705.tif 000008
【図８】
0004293705.tif 000009
【図９】
0004293705.tif 000010
【図１０】
0004293705.tif 000011
【図１１】
0004293705.tif 000012